(57)【要約】      （修正有）【課題】製造材料が節約可能、組合せが簡単、製造率が高い、製品の薄型化設計によいというメリットがある統合タッチ構造のディスプレイパネルを提供する。【解決手段】上透明基板１１と下透明基板１２との間に液晶層１０を充填し、上透明基板の上方に上偏光板１５を複合し、下透明基板の下に下偏光板１６を複合し、それに、上偏光板の下に電子回路構造体２を設けており、電子回路構造体は、第一電子回路２１、絶縁層と第二電子回路２２からなるもので、前記上偏光板に接触すると、第一、第二電子回路にキャパシタンス効果が生じる。【選択図】図２
0003145536.tif 000002
【実用新案登録請求の範囲】
【請求項１】
液晶層、液晶層の上にある上透明基板、液晶層の下にある下透明基板、上透明基板と液晶層との間にある上透明導電層、液晶層と下透明基板との間にある下透明導電層、上透明基板の上にある上偏光板、下透明基板の下にある下偏光板、上偏光板と上透明基板との間にある電子回路構造体が備わっていることを特徴とする統合タッチ構造のディスプレイパネル。
【請求項２】
前記電子回路構造体は、上偏光板と上透明基板との間にある第一電子回路、第一電子回路と上透明基板との間にある第二電子回路、第一電子回路と第二電子回路との間にある第一絶縁層が備わっていることを特徴とする請求項１に記載の統合タッチ構造のディスプレイパネル。
【請求項３】
前記第一電子回路と第二電子回路は、それぞれ複数の電極．があることを特徴とする請求項２に記載の統合タッチ構造のディスプレイパネル。
【請求項４】
前記第二電子回路と上透明導電層との間には、ノイズを阻止し、第二電子回路と上透明導電層との間を相互に絶縁するためのガード層が設けられていることを特徴とする請求項２に記載の統合タッチ構造のディスプレイパネル。
【請求項５】
前記ガード層は、非透明の金属材料で作られていることを特徴とする請求項４に記載の統合タッチ構造のディスプレイパネル。
【請求項６】
前記上透明導電層は、ノイズを阻止するためのガード層であることを特徴とする請求項２に記載の統合タッチ構造のディスプレイパネル。
【請求項７】
前記第一電子回路は、非透明の金属材料で作られていることを特徴とする請求項６に記載の統合タッチ構造のディスプレイパネル。
【請求項８】
前記第二電子回路は、非透明の金属材料で作られていることを特徴とする請求項６に記載の統合タッチ構造のディスプレイパネル。
【請求項９】
前記第二電子回路と上透明基板との間にはノイズを阻止するためのガード層が、第二電子回路とガード層との間には第二絶縁層が設けられていることを特徴とする請求項２に記載の統合タッチ構造のディスプレイパネル。
【請求項１０】
前記第一電子回路は、非透明の金属材料で作られていることを特徴とする請求項９に記載の統合タッチ構造のディスプレイパネル。
【請求項１１】
前記第二電子回路は、非透明の金属材料で作られていることを特徴とする請求項９に記載の統合タッチ構造のディスプレイパネル。
【請求項１２】
前記上透明基板と上透明導電層との間にはカラーレジスト層が、上透明基板とカラーレジスト層との間には遮蔽層が設けられていることを特徴とする請求項２に記載の統合タッチ構造のディスプレイパネル。
【請求項１３】
前記上透明導電層は、ノイズを阻止するためのガード層であることを特徴とする請求項１２に記載の統合タッチ構造のディスプレイパネル。
【請求項１４】
前記第二電子回路と上透明基板との間にはノイズを阻止するためのガード層が、第二電子回路とガード層との間には第二絶縁層が設けられていることを特徴とする請求項１２に記載の統合タッチ構造のディスプレイパネル。
【請求項１５】
前記遮蔽層と前記カラーレジスト層との間には、ノイズを阻止するためのガード層が設けられていることを特徴とする請求項１２に記載の統合タッチ構造のディスプレイパネル。
【請求項１６】
前記カラーレジスト層と上透明導電層との間には、ノイズを阻止するためのガード層が、ガード層と上透明導電層との間には第三絶縁層が設けられていることを特徴とする請求項１２に記載の統合タッチ構造のディスプレイパネル。
【請求項１７】
前記上透明基板と前記遮蔽層との間には、ノイズを阻止するためのガード層が設けられていることを特徴とする請求項１２に記載の統合タッチ構造のディスプレイパネル。
【請求項１８】
液晶層、液晶層の上にある上透明基板、液晶層の下にある下透明基板、上透明基板と前記液晶層との間にある上透明導電層、液晶層と前記下透明基板との間にある下透明導電層、上透明基板の上にある上偏光板、下透明基板の下にある下偏光板、上偏光板と上透明基板との間にある第一電子回路、第一電子回路と上透明基板との間にある第二電子回路、第二電子回路と上透明導電層との間にある第四絶縁層が備わっていることを特徴とする統合タッチ構造のディスプレイパネル。
【請求項１９】
前記第一電子回路と第二電子回路は、それぞれ複数の電極．があることを特徴とする請求項１８に記載の統合タッチ構造のディスプレイパネル。
【請求項２０】
前記第二電子回路と上透明導電層との間にはノイズを阻止し、第二電子回路と上透明導電層との間を相互に絶縁するためのガード層が設けられていることを特徴とする請求項１８に記載の統合タッチ構造のディスプレイパネル。
【請求項２１】
前記ガード層は、非透明の金属材料で作られていることを特徴とする請求項２０に記載の統合タッチ構造のディスプレイパネル。
【請求項２２】
前記上透明導電層は、ノイズを阻止するためのガード層であることを特徴とする請求項１８に記載の統合タッチ構造のディスプレイパネル。
【請求項２３】
前記第一電子回路は、非透明の金属材料で作られていることを特徴とする請求項２１に記載の統合タッチ構造のディスプレイパネル。
【請求項２４】
前記第二電子回路は、非透明の金属材料で作られていることを特徴とする請求項２１に記載の統合タッチ構造のディスプレイパネル。
【請求項２５】
前記第四絶縁層は、カラーレジスト層であることを特徴とする請求項１８に記載の統合タッチ構造のディスプレイパネル。
【請求項２６】
前記上透明導電層は、ノイズを阻止するためのガード層であることを特徴とする請求項２５に記載の統合タッチ構造のディスプレイパネル。
【請求項２７】
前記第二電子回路とカラーレジスト層との間にはノイズを阻止するためのガード層が、第二電子回路とガード層との間には第五絶縁層が設けられていることを特徴とする請求項２５に記載の統合タッチ構造のディスプレイパネル。
【請求項２８】
前記カラーレジスト層と上透明導電層との間にはノイズを阻止するためのガード層が、ガード層と上透明導電層との間には第六絶縁層が設けられていることを特徴とする請求項２５に記載の統合タッチ構造のディスプレイパネル。
【請求項２９】
前記第四絶縁層と上透明導電層との間にはカラーレジスト層が、第四絶縁層とカラーレジスト層との間には遮蔽層が、第四絶縁層と遮蔽層との間にはノイズを阻止するためのガード層が設けられていることを特徴とする請求項１８に記載の統合タッチ構造のディスプレイパネル。
【請求項３０】
前記第四絶縁層と上透明導電層との間にはカラーレジスト層が、第四絶縁層とカラーレジスト層との間には遮蔽層が、遮蔽層とカラーレジスト層との間にはノイズを阻止するためのガード層が設けられていることを特徴とする請求項１８に記載の統合タッチ構造のディスプレイパネル。
【請求項３１】
液晶層、液晶層の上にある上透明基板、液晶層の下にある下透明基板、上透明基板と液晶層との間にある上透明導電層、液晶層と下透明基板との間にある下透明導電層、上透明基板の上にある上偏光板、下透明基板の下にある下偏光板、上偏光板と上透明基板との間にある電子回路構造体、電子回路構造体と上透明導電層との間にある第七絶縁層が備わっていることを特徴とする統合タッチ構造のディスプレイパネル。
【請求項３２】
前記電子回路構造体は、上透明基板と第七絶縁層との間にある第一電子回路、第一電子回路と第七絶縁層との間にある第二電子回路、第一電子回路と第二電子回路との間にある第一絶縁層が備わっていることを特徴とする請求項３１に記載の統合タッチ構造のディスプレイパネル。
【請求項３３】
前記第一電子回路と第二電子回路は、それぞれ複数の電極があることを特徴とする請求項３２に記載の統合タッチ構造のディスプレイパネル。
【請求項３４】
前記第二電子回路と上透明導電層との間にはノイズを阻止し、第二電子回路と上透明導電層との間を相互に絶縁するためのガード層が設けられていることを特徴とする請求項３２に記載の統合タッチ構造のディスプレイパネル。
【請求項３５】
前記ガード層は、非透明の金属材料で作られていることを特徴とする請求項３４に記載の統合タッチ構造のディスプレイパネル。
【請求項３６】
前記上透明導電層は、ノイズを阻止するためのガード層であることを特徴とする請求項３２に記載の統合タッチ構造のディスプレイパネル。
【請求項３７】
前記第一電子回路は、非透明の金属材料で作られていることを特徴とする請求項３６に記載の統合タッチ構造のディスプレイパネル。
【請求項３８】
前記第二電子回路は、非透明の金属材料で作られていることを特徴とする請求項３６に記載の統合タッチ構造のディスプレイパネル。
【請求項３９】
前記第七絶縁層と上透明導電層との間には、カラーレジスト層が設けられていることを特徴とする請求項３２に記載の統合タッチ構造のディスプレイパネル。
【請求項４０】
前記上透明導電層は、ノイズを阻止するためのガード層であることを特徴とする請求項３９に記載の統合タッチ構造のディスプレイパネル。
【請求項４１】
前記第七絶縁層とカラーレジスト層との間には、ノイズを阻止するためのガード層が設けられていることを特徴とする請求項３９に記載の統合タッチ構造のディスプレイパネル。
【考案の詳細な説明】
【技術分野】
【０００１】
本考案は、ディスプレイパネルに係わる、特にタッチ制御電子回路構造体が設置され、タッチ入力と操作能力を持つディスプレイパネルに関する。
【背景技術】
【０００２】
現在の個人用電子辞書（Ｐｅｒｓｏｎａｌ  Ｄｉｇｉｔａｌ  Ａｓｓｉｓｔａｎｔ、ＰＤＡ）、パームサイズＰＣ（Ｐａｌｍ−Ｓｉｚｅｄ  ＰＣ）と情報家電（Ｉｎｆｏｒｍａｔｉｏｎ  Ａｐｐｌｉａｎｃｅ）等の電子製品には、ディスプレイパネル（Ｄｉｓｐｌａｙ  Ｐａｎｅｌ）は、ほとんどタッチパネル（Ｔｏｕｃｈ  Ｐａｎｅｌ）が付いているが、ディスプレイパネルは、タッチパネルの表示機能によって、イメージや文字が表示され、ユーザが指やタッチペンなどの導電物体で、タッチパネル表面に表示されたイメージや文字を選んで、入力や操作を行うことができる。
【０００３】
図１は、上述の従来の技術で作られた、ディスプレイパネル１ｃにあるタッチパッド５の断面図であり、タッチパッド５とディスプレイパネル１ｃとの間の周辺に粘着層６が設けられ、前記タッチパッド５はガラス基板５１（Ｇｌａｓｓ  Ｓｕｂｓｔｒａｔｅ）があり、ガラス基板５１の底面には、第一電子回路５２と第二電子回路５３が順次に設けられており、第一、第二電子回路５２、５３はいずれも酸化インジウムスズ（ＩＴＯ）導電層で、しかも、第一、第二電子回路５２、５３の間には透明絶縁層５４が設けられ、第二電子回路５３の底面には透明ガード塗布層５５（Ｏｖｅｒ  Ｃｏａｔ）が複合されており、ガード塗布層５５は絶縁物質（例えば、窒化ケイ素、二酸化ケイ素、類似フォトレジスト等）なので、第二電子回路５３の毀損がないように保護し、しかも、ディスプレイパネル１ｃと結合するものである。
【０００４】
ディスプレイパネル１ｃは、液晶ディスプレイ（Ｌｉｑｕｉｄ  Ｃｒｙｓｔａｌ  Ｄｉｓｐｌａｙ、ＬＣＤ）でよいが、上ガラス基板１１ｃと下ガラス基板１３ｃの間に液晶層１５ｃ（図１）を充填し、上ガラス基板１１ｃのてっぺんに上偏光板１６ｃが複合され、上ガラス基板１１ｃの底面と前記液晶層１５ｃとの間に上透明導電層１２ｃが設けられ、下ガラス基板１３ｃの底面に下偏光板１７ｃが複合され、下ガラス基板１３ｃのてっぺんと前記液晶層１５ｃとの間に下透明導電層１４ｃが設けられている。
【０００５】
上述した液晶ディスプレイの現像原理は、上、下透明導電層１２ｃ、１４ｃ間の電場の駆動で、液晶分子のツイストによる電場効果が生じて、それによって  光源の通過や遮断を制御し、更に上ガラス基板１１ｃに構成されたカラーフィルターのイメージや文字を表示することになっており、ユーザがガラス基板５１の表面で前記タッチパッド５の前記イメージや文字の対応位置にタッチし、操作や入力を行う。
【０００６】
しかし、上述したディスプレイパネル１ｃ上に配置されたタッチパッド５の電子製品の中で、ディスプレイパネル１ｃの上、下ガラス基板１１ｃ、１３ｃとタッチパッド５のガラス基板５１は、いずれも同じくガラス材料で作られたもので、製造の際、多くの製造材料が余計に重複使用され、それに、ディスプレイパネル１ｃとタッチパッド５は、従来はそれぞれ製造完了されてから、順次に重ね、張り合わせるようになっているため、組合せが複雑で、作業時間がかなりかかり、不良品が発生しやすく、重ねられ形成された階段状の厚み問題もあり、電子製品の薄型化設計にマイナスな影響を及ぼして、それらを改善しなければならない。
【考案の開示】
【考案が解決しようとする課題】
【０００７】
本考案の目的は、タッチ電子回路構造体が設置され、タッチ入力と操作機能を持つディスプレイパネルを提供することである。
【課題を解決するための手段】
【０００８】
上述の目的を達成するため、本考案は具体的に、液晶層、液晶層の上にある上透明基板、液晶層の下にある下透明基板、上透明基板と液晶層との間にある上透明導電層、液晶層と下透明基板との間にある下透明導電層、上透明基板の上にある上偏光板、下透明基板の下にある下偏光板、上偏光板と上透明基板との間にある電子回路構造体が備わっていることを特徴とする統合タッチ構造のディスプレイパネルである。
【０００９】
前記電子回路構造体は、上偏光板と上透明基板との間にある第一電子回路、第一電子回路と上透明基板との間にある第二電子回路、第一電子回路と第二電子回路との間にある第一絶縁層が備わっている。
【００１０】
もう一つの統合タッチ構造のディスプレイパネルは、
液晶層、液晶層の上にある上透明基板、液晶層の下にある下透明基板、上透明基板と前記液晶層との間にある上透明導電層、液晶層と前記下透明基板との間にある下透明導電層、上透明基板の上にある上偏光板、下透明基板の下にある下偏光板、上偏光板と上透明基板との間にある第一電子回路、第一電子回路と上透明基板との間にある第二電子回路、第二電子回路と上透明導電層との間にある第四絶縁層が備わっている。
【００１１】
更にもう一つの統合タッチ構造のディスプレイパネルは、
液晶層、液晶層の上にある上透明基板、液晶層の下にある下透明基板、上透明基板と液晶層との間にある上透明導電層、液晶層と下透明基板との間にある下透明導電層、上透明基板の上にある上偏光板、下透明基板の下にある下偏光板、上偏光板と上透明基板との間にある電子回路構造体、電子回路構造体と上透明導電層との間にある第七絶縁層が備わっている。
【００１２】
前記電子回路構造体は、上透明基板と第七絶縁層との間にある第一電子回路、第一電子回路と第七絶縁層との間にある第二電子回路、第一電子回路と第二電子回路との間にあり、電子回路と第二電子回路を電気的に絶縁するための第一絶縁層が備わっている。
【００１３】
前記第一電子回路と第二電子回路は、それぞれ複数の電極がある。
前記第二電子回路と上透明導電層との間には、ノイズを阻止し、第二電子回路と上透明導電層との間を相互に絶縁するためのガード層が設けられている。
前記ガード層は、非透明の金属材料で作られている。
前記上透明導電層は、ノイズを阻止するためのガード層である。
前記第一電子回路は、非透明の金属材料で作られている。
前記第二電子回路は、非透明の金属材料で作られている。
本考案の統合タッチ構造のディスプレイパネルは、製造材料が節約可能、組合せが簡単、製造率が高い、製品の薄型化設計によいという効果がある。
【考案を実施するための最良の形態】
【００１４】
以下は、本考案の構造構成と効果について、図面付きの好適な実施例を参照しながら、以下のように詳しく説明する。
【実施例１】
【００１５】
図２は、本考案の第一種組合せの形態の断面図だが、本考案の統合タッチ構造のディスプレイパネル１は、液晶層１０、液晶層１０の上にある上透明基板１１、液晶層１０の下にある下透明基板１２、上透明基板１１と液晶層１０との間にある上透明導電層１３、液晶層１０と下透明基板１２との間にある下透明導電層１４、上透明基板１１の上にある上偏光板１５、上偏光板１５の上の表面にディスプレイエリア１５０があり、下透明基板１２の下に下偏光板１６が複合され、上偏光板１５と上透明基板１１との間に電子回路構造体２が備わっているものであり、電子回路構造体２は、第一電子回路２１、第二電子回路２２と第一絶縁層２０が備わっており、第一電子回路２１は上偏光板１５と前記上透明基板１１との間に、第二電子回路２２は第一電子回路２１と上透明基板１１との間に、第一絶縁層２０は第一電子回路２１と第二電子回路２２との間に、第一絶縁層２０は第一電子回路２１と第二電子回路２２を電気的に絶縁するように設けられており、本考案の統合タッチ構造のディスプレイパネル１は、以上の各層で重ねられ、作られているものである。
【００１６】
前記第一電子回路２１と第二電子回路２２は、それぞれ複数の感応電極４１、４２、４３、４４があり、電極は図３又は図４に示す形態となり、第一電子回路２１の電極４１、４３は、軸向きタッチ感応を、第二電子回路２２の電極４２、４４は、もう一つの軸向きタッチ感応を担当している。
【００１７】
上、下透明基板１１、１２の材質はガラス、プラスチック又はその他の絶縁材料  でよい（図２）が、第一電子回路２１と第二電子回路２２は、透明の導電材料で作られてもよいが、透明の導電材料は酸化インジウムスズ（ＩＴＯ）が可能で、第一電子回路２１と第二電子回路２２は、従来の塗布、露光、現像とエッチング等の技術加工で配置されている。
【００１８】
上述のように、ディスプレイパネル１におけるディスプレイエリア１５０に表示されたイメージや文字（図２）に対して、ユーザが指やその他の導電物体で上偏光板１５のディスプレイエリア１５０に接触すると、第一電子回路２１の電極４１、４３（図３と図４）と第二電子回路２２の電極４２、４４がそれに感応し、キャパシタンス効果が生じて、反応信号が得られ、それが外界のマイクロプロセッサ（図面なし）へ伝えられ、反応位置の計算が行われ、タッチ目的が達成される。
【００１９】
上述から分かるように、本考案では上透明基板１１の上に第一電子回路２１、第一絶縁層２０と第二電子回路２２を設けることによって、ディスプレイパネルに設けられる従来のタッチパッドが不要となり、従来のタッチパッド作りに必要とされるガラス材料が有効に節約し、ディスプレイパネルの組合せ加工工程が簡単化し、製造と組合せコストと時間が大幅に低減可能、ディスプレイパネルの組合せの良品率が向上すると同時に、製品の薄型化設計にも役立つものである。
【００２０】
なお、第二電子回路２２と上透明導電層１３との間に、ノイズを阻止するための透明ガード層１９（図５、図７、図８と図１０）を設けることによって、パネル１駆動の電磁信号を遮断し、ガード層１９と第二電子回路２２と上透明導電層１３との間を相互に絶縁することになっており、前記ガード層１９は、従来のディスプレイパネル内の遮光用ブラックマトリクス層の代わりに、非透明の金属材料で作られてもよい（図５、図７、図８と図１０）が、その他の構成と実施形態などは上述の第一種組み合わせの形態の実施例と同様である。
【００２１】
又は、上透明導電層１３は前記ガード層として用いられ（図２）、しかも、第一電子回路２１又は第二電子回路２２は、従来のディスプレイパネル内の遮光用ブラックマトリクス層の代わりに、非透明の金属材料で作られてもよいが、非透明の金属材料はクロム（Ｃｒ）でよいが、その他の構成と実施形態等は上述した第一種組み合わせの形態の実施例と同様である。
【００２２】
又は、ガード層１９は第二電子回路２２と上透明基板１１との間（図５）に設けられ、第二電子回路２２とガード層１９との間に透明の第二絶縁層２０２が設けられ、しかも、第一電子回路２１又は第二電子回路２２は、従来のディスプレイパネル内の遮光用ブラックマトリクス層の代わりに、非透明の金属材料で作られてもよいが、非透明の金属材料はクロム（Ｃｒ）でよいが、その他の構成と実施形態等は上述した第一種組み合わせの形態の実施例と同様である。
【００２３】
又は、上透明基板１１と上透明導電層１３との間にカラーレジスト層１７（図６）が設けられ、上透明基板１１とカラーレジスト層１７との間に非透明の遮蔽層１８が設けられてよいが、実際は従来のディスプレイパネル内のブラックマトリクス層の代わりに、ブラックマトリクス層又はその他に遮光効果が得られる覆い層か塗布層でよいが、そして、上透明導電層１３は前記ガード層として用いられてもよいが、その他の構成と実施形態は上述した第一種組み合わせの形態の実施例と同様である。
【００２４】
又は、上透明基板１１と上透明導電層１３との間にカラーレジスト層１７（図７）が設けられ、上透明基板１１とカラーレジスト層１７との間に非透明の遮蔽層１８が設けられてもよいが、それは従来のディスプレイパネル内のブラックマトリクス層の代わりに、ブラックマトリクス層又はその他に遮光効果が得られる覆い層か塗布層でよいが、その上、ガード層１９は第二電子回路２２と上透明基板１１との間に、第二電子回路２２とガード層１９との間に透明の第二絶縁層２０２が設けられてもよいが、その他の構成と実施形態は上述した第一種組み合わせの形態の実施例と同様である。
【００２５】
又は、上透明基板１１と前記上透明導電層１３との間にカラーレジスト層１７（図８）が設けられ、上透明基板１１とカラーレジスト層１７との間に非透明の遮蔽層１８が設けられ、それは従来のディスプレイパネル内のブラックマトリクス層の代わりに、ブラックマトリクス層又はその他に遮光効果が得られる覆い層か塗布層でよいが、その上、ガード層１９は遮蔽層１８とカラーレジスト層１７との間に設けられてもよいが、その他の構成と実施形態は上述した第一種組み合わせの形態の実施例と同様である。
【００２６】
又は、上透明基板１１と上透明導電層１３との間にカラーレジスト層１７（図９）が設けられ、上透明基板１１とカラーレジスト層１７との間に非透明の遮蔽層１８が設けられ、それは従来のディスプレイパネル内のブラックマトリクス層の代わりにブラックマトリクス層又はその他に遮光効果が得られる覆い層か塗布層でよいが、そして、ガード層１９はカラーレジスト層１７と上透明導電層１３との間に設けられ、ガード層１９と上透明導電層１３との間に透明の第三絶縁層２０３が設けられてもよいが、その他の構成と実施形態は上述した第一種組み合わせの形態の実施例と同様である。
【００２７】
又は、上透明基板１１と上透明導電層１３との間にカラーレジスト層１７（図１０）が設けられ、上透明基板１１とカラーレジスト層１７との間に非透明の遮蔽層１８が設けられ、それは従来のディスプレイパネル内のブラックマトリクス層の代わりに、ブラックマトリクス層又はその他に遮光効果が得られる覆い層か塗布層でよいが、その上、ガード層１９は上透明基板１１と遮蔽層１８との間に設けられてもよいが、その他の構成と実施形態等は上述した第一種組み合わせの形態の実施例と同様である。
【００２８】
図１１は、本考案の第二種組み合わせの形態の断面図だが、本考案の統合タッチ構造のディスプレイパネル１ａは、液晶層１０ａ、液晶層１０ａの上に上透明基板１１ａが、液晶層１０ａの下に下透明基板１２ａが、上透明基板１１ａと液晶層１０ａとの間に上透明導電層１３ａが、液晶層１０ａと下透明基板１２ａとの間に下透明導電層１４ａが設けられ、上透明基板１１ａの上方に上偏光板１５ａが複合され、上偏光板１５ａの上の表面にディスプレイエリア１５０ａがあり、下透明基板１２ａの下に下偏光板１６ａが複合され、上偏光板１５ａと上透明基板１１ａとの間に第一電子回路２１ａが、上透明基板１１ａと上透明導電層１３ａとの間に第二電子回路２２ａが設けられており、本実施の上透明基板１１ａは絶縁層として用いられ、第一電子回路２１ａと第二電子回路２２ａを電気的に絶縁し、第二電子回路２２ａと上透明導電層１３ａとの間に透明の第四絶縁層２０４が設けられてもよいが、本考案の統合タッチ構造のディスプレイパネル１ａは、上述の各層が重ねられ、作られている。
【００２９】
前記第一電子回路２１ａと第二電子回路２２ａは、それぞれ複数の感応電極４１、４２、４３、４４があり、前記電極は、図３又は図４に示す形態となり、第一電子回路２１の電極４１、４３は、軸向きの的タッチ反応を、第二電子回路２２の電極４２、４４は、もう一つの軸向きのタッチ反応を担当している。
【００３０】
上、下透明基板１１ａ、１２ａの材質はガラス、プラスチック又はその他の絶縁材料  でよい（図１１）が、第一電子回路２１ａ又は第二電子回路２２ａは、透明の導電材料で作られてもよいが、透明の導電材料は酸化インジウムスズが可能で、第一電子回路２１ａと第二電子回路２２ａは、従来の塗布、露光、現像とエッチング等の技術加工で配置されている。
【００３１】
従って、ユーザが指やその他の導電物体で前記上偏光板１５ａのディスプレイエリア１５０ａに接触すると（図１１）、第一電子回路２１ａの電極４１、４３（図３と図４を参照）と第二電子回路２２ａの電極４２、４４がそれに感応し、キャパシタンス効果が生じて、反応信号が得られ、それが外界のマイクロプロセッサ（図面なし）へ伝えられ、反応位置の計算が行われ、タッチ目的が達成される。
それで、本考案では上透明基板１１ａの両面にそれぞれ第一電子回路２１ａと第二電子回路２２ａを設けることによって、上述の第一種実施例の簡単化組合せ工程を兼ね、組合せの合格率が向上、薄型化設計に役立つ等の效果がある。
【００３２】
なお、第二電子回路２２ａと上透明導電層１３ａとの間に、ノイズを阻止するための透明ガード層１９ａ（図１３〜図１６）を設けることによって、パネル１ｂ駆動の電磁信号を遮断し、ガード層１９ａと第二電子回路２２ａと上透明導電層１３ａとの間を相互に絶縁するが、前記ガード層１９ａは、従来のディスプレイパネル内の遮光用ブラックマトリクス層の代わりに、非透明の金属材料で作られてもよい（図１３〜図１６）が、その他の構成と実施形態などは上述の第二種組み合わせの形態の実施例と同様である。
【００３３】
又は、上透明導電層１３ａはガード層として用いられ（図１１）、しかも、第一電子回路２１ａ又は第二電子回路２２ａは、従来のディスプレイパネル内の遮光用ブラックマトリクス層の代わりに、非透明の金属材料で作られてもよいが、非透明の金属材料はクロム（Ｃｒ）でよいが、その他の構成と実施形態等は上述した第一種組み合わせの形態の実施例と同様である。
【００３４】
又は、第四絶縁層２０４は、カラーレジスト層として用いられ（図１２）、非透明の遮蔽層１８ａに合わせて実施されてもよいが、遮蔽層１８ａは本実施で、上透明基板１１ａと第二電子回路２２ａとの間に用いられ、遮蔽層１８ａは実に、従来のディスプレイパネル内のブラックマトリクス層の代わりに、ブラックマトリクス層又はその他に遮光効果が得られる覆い層か塗布層でよいが、そして、上透明導電層１３ａはガード層として用いられてもよいが、その他の構成と実施形態等は上述した第二種組み合わせの形態の実施例と同様である。
【００３５】
又は、第四絶縁層２０４は、カラーレジスト層として用いられ（図１３）、非透明の遮蔽層１８ａに合わせて実施されてもよいが、遮蔽層１８ａは本実施で、上透明基板１１ａと第二電子回路２２ａとの間に用いられ、遮蔽層１８ａは実に、従来のディスプレイパネル内のブラックマトリクス層の代わりに、ブラックマトリクス層又はその他に遮光効果が得られる覆い層か塗布層でよいが、そして、ガード層１９ａは、第二電子回路２２ａ及びカラーレジスト層として用いられる第四絶縁層２０４との間に設けられ、第二電子回路２２ａとガード層１９ａとの間に透明の第五絶縁層２０５があるが、その他の構成と実施形態等は上述した第二種組み合わせの形態の実施例と同様である。
【００３６】
又は、第四絶縁層２０４は、カラーレジスト層として用いられ（図１４）、非透明の遮蔽層１８ａに合わせて実施されてもよいが、遮蔽層１８ａは本実施で、上透明基板１１ａと第二電子回路２２ａとの間に用いられ、遮蔽層１８ａは実に従来のディスプレイパネル内のブラックマトリクス層の代わりに、ブラックマトリクス層又はその他に遮光効果が得られる覆い層か塗布層でよいが、そして、ガード層１９ａは、カラーレジスト層として用いられる第四絶縁層２０４と上透明導電層１３ａとの間に設けられ、ガード層１９ａと上透明導電層１３ａとの間に透明の第六絶縁層２０６があるが、その他の構成と実施形態等は上述した第二種組み合わせの形態の実施例と同様である。
【００３７】
又は、第四絶縁層２０４と上透明導電層１３ａとの間にカラーレジスト層１７ａ（図１５）が、第四絶縁層２０４とカラーレジスト層１７ａとの間に非透明の遮蔽層１８ａが設けられてもよいが、それは実に従来のディスプレイパネル内のブラックマトリクス層の代わりに、ブラックマトリクス層又はその他に遮光効果が得られる覆い層か塗布層でよいが、そして、ガード層１９ａは第四絶縁層２０４と遮蔽層１８ａとの間に設けられてもよいが、その他の構成と実施形態等は上述した第二種組み合わせの形態の実施例と同様である。
【００３８】
又は、第四絶縁層２０４と上透明導電層１３ａとの間にカラーレジスト層１７ａ（図１６）が、第四絶縁層２０４とカラーレジスト層１７ａとの間に非透明の遮蔽層１８ａが設けられ、それは従来のディスプレイパネル内のブラックマトリクス層の代わりに、ブラックマトリクス層又はその他に遮光効果が得られる覆い層か塗布層でよいが、そして、ガード層１９ａは遮蔽層１８ａとカラーレジスト層１７ａとの間に設けられてもよいが、その他の構成と実施形態等は上述した第二種組み合わせの形態の実施例と同様である。
【００３９】
図１７は、本考案の第三種組み合わせの形態の断面図が掲示され、本考案の統合タッチ構造のディスプレイパネル１ｂは、液晶層１０ｂ、液晶層１０ｂの上に上透明基板１１ｂが、液晶層１０ｂの下に下透明基板１２ｂが、上透明基板１１ｂと液晶層１０ｂとの間に上透明導電層１３ｂが、液晶層１０ｂと下透明基板１２ｂとの間に下透明導電層１４ｂが設けられ、上透明基板１１ｂの上に上偏光板１５ｂが複合され、上偏光板１５ｂの上の表面にディスプレイエリア１５０ｂがあり、下透明基板１２ｂの下方に下偏光板１６ｂに複合され、上透明基板１１ｂと上透明導電層１３ｂとの間に電子回路構造体２ｂが設けられ、電子回路構造体２ｂと上透明導電層１３ｂとの間に透明の第七絶縁層２０７が設けられており、電子回路構造体２ｂは、第一電子回路２１ｂ、第二電子回路２２ｂと第一絶縁層２０ｂが備わっており、第一電子回路２１ｂは上透明基板１１ｂと第七絶縁層２０７との間に、第二電子回路２２ｂは第一電子回路２１ｂと第七絶縁層２０７との間に、第一絶縁層２０ｂは第一電子回路２１ｂと第二電子回路２２ｂとの間に設けられ、第一電子回路２１ｂと第二電子回路２２ｂを電気的に絶縁しているが、本考案の統合タッチ構造のディスプレイパネル１ｂは、上述の各層が重ねられ、作られている。
【００４０】
前記第一電子回路２１ｂと第二電子回路２２ｂは、それぞれ複数の感応電極４１、４２、４３、４４があり、電極は図３又は図４に示す形態となり、第一電子回路２１ｂの電極４１、４３は、軸向きのタッチ反応を、第二電子回路２２ｂの電極４２、４４は、もう一つの軸向きのタッチ反応を担当している。
【００４１】
上、下透明基板１１ｂ、１２ｂの材質はガラス、プラスチック又はその他の絶縁材料でよい（図１７）が、第一電子回路２１ｂ又は第二電子回路２２ｂは、透明の導電材料で作られてもよいが、透明の導電材料は酸化インジウムスズが可能で、第一電子回路２１ｂと第二電子回路２２ｂは、従来の塗布、露光、現像とエッチング等の技術加工で配置されている。  
【００４２】
従って、ユーザが指やその他の導電物体で前記上偏光板１５ｂ  のディスプレイエリア１５０ｂ  に接触すると（図１７）、第一電子回路２１ｂの電極４１、４３（図３と図４を参照）と第二電子回路２２ｂの電極４２、４４がそれに感応し、キャパシタンス効果が生じて、反応信号が得られ、それが外界のマイクロプロセッサ（図面なし）へ伝えられ、反応位置の計算が行われ、タッチ目的が達成される。
【００４３】
それで、本考案では上透明基板１１ｂの両面にそれぞれ第一電子回路２１ｂと第二電子回路２２ｂを設けることによって、上述の第一種実施例の簡単化組合せ工程を兼ね、組合せの合格率が向上、薄型化設計に役立つ等の效果がある。
なお、第二電子回路２２ｂと上透明導電層１３ｂとの間に、ノイズを阻止するための透明ガード層１９ｂ（図１９）を設けることによって、パネル１駆動の電磁信号を遮断し、ガード層１９ｂと第二電子回路２２ｂと上透明導電層１３ｂとの間を相互に絶縁しているが、前記ガード層１９ｂは、従来のディスプレイパネル内の遮光用ブラックマトリクス層の代わりに、非透明の金属材料で作られてもよい（図１９）が、その他の構成と実施形態などは上述の第三種組み合わせの形態の実施例と同様である。
【００４４】
又は、上透明導電層１３ｂは、前記ガード層として用いられてもよく（図１７）、そして、第一電子回路２１ｂ又は第二電子回路２２ｂは従来のディスプレイパネル内のブラックマトリクス層の代わりに、非透明の金属材料で作られているが、非透明の金属材料はクロム（Ｃｒ）でよいが、その他の構成と実施形態などは上述の第三種組み合わせの形態の実施例と同様である。
【００４５】
又は、第七絶縁層２０７と上透明導電層１３ｂとの間にカラーレジスト層１７ｂ（図１８）が設けられ、非透明の遮蔽層１８ｂに合わせて実施されてもよいが、遮蔽層１８ｂは本実施で、透明基板１１ｂと第一電子回路２１ｂとの間に設けられ、遮蔽層１８ｂは実に、従来のディスプレイパネル内のブラックマトリクス層の代わりに、ブラックマトリクス層又はその他に遮光効果が得られる覆い層か塗布層でよいが、そして、上透明導電層１３ｂはガード層とし用いられるが、その他の構成と実施形態などは上述の第三種組み合わせの形態の実施例と同様である。
又は、第七絶縁層２０７と上透明導電層１３ｂとの間にカラーレジスト層１７ｂ（図１９）が設けられ、非透明の遮蔽層１８ｂに合わせて実施されてもよいが、遮蔽層１８ｂは本実施で、上透明基板１１ｂと第一電子回路２１ｂとの間に設けられ、遮蔽層１８ｂは実に、従来のディスプレイパネル内のブラックマトリクス層の代わりに、ブラックマトリクス層又はその他に遮光効果が得られる覆い層か塗布層でよいが、そして、ガード層１９ｂは第七絶縁層２０７とカラーレジスト層１７ｂとの間に設けられてもよいが、その他の構成と実施形態などは上述の第三種組み合わせの形態の実施例と同様である。
【００４６】
本考案は、上述の実施例によって説明してきたが、その形態や詳細を変えてもよく、本考案のコンセプトのもとで作られるものであり、前述の内容は本考案の最も合理的な実施形態だが、それは本考案の具体的な実施形態の一つのみで、それだけに限らないこととする。
【図面の簡単な説明】
【００４７】
【図１】従来のディスプレイパネル上に設けられたタッチパッドの断面図である。
【図２】本考案の実施例一の断面図である。
【図３】本考案の第一と第二電子回路の電極の配置イメージである。
【図４】本考案の第一と第二電子回路の電極の配置イメージである。
【図５】図２の実施例の付加形態一の断面図である。
【図６】図２の実施例の付加形態二の断面図である。
【図７】図２の実施例の付加形態三の断面図である。
【図８】図２の実施例の付加形態四の断面図である。
【図９】図２の実施例の付加形態五の断面図である。
【図１０】図２の実施例の付加形態六の断面図である。
【図１１】本考案の実施例二の断面図である。
【図１２】図１１の実施例の付加形態一の断面図である。
【図１３】図１１の実施例の付加形態二の断面図である。
【図１４】図１１の実施例の付加形態三の断面図である。
【図１５】図１１の実施例の付加形態四の断面図である。
【図１６】図１１の実施例の付加形態五の断面図である。
【図１７】本考案の実施例三の断面図である。
【図１８】図１７の実施例の付加形態一の断面図である。
【図１９】図１７の実施例の付加形態二の断面図である。
【符号の説明】
【００４８】
１          液晶ディスプレイ
１ａ        ディスプレイパネル
１ｂ        パネル
１ｃ        ディスプレイパネル
２          電子回路構造体
２ｂ        電子回路構造体
５          タッチパッド
６          粘着層
１０        液晶層
１０ａ      液晶層
１０ｂ      液晶層
１１        上透明基板
１１ａ      上透明基板
１１ｂ      透明基板
１１ｃ      ガラス基板
１２        下透明基板
１２ａ      下透明基板
１２ｂ      透明基板
１２ｃ      透明導電層
１３        上透明導電層
１３ａ      上透明導電層
１３ｂ      上透明導電層
１３ｃ      ガラス基板
１４        下透明導電層
１４ａ      下透明導電層
１４ｂ      下透明導電層
１４ｃ      下透明導電層
１５        上偏光板
１５ａ      上偏光板
１５ｂ      上偏光板
１５ｃ      液晶層
１６        下偏光板
１６ａ      下偏光板
１６ｂ      下偏光板
１６ｃ      上偏光板
１７        カラーレジスト層
１７ａ      カラーレジスト層
１７ｂ      カラーレジスト層
１７ｃ      下偏光板
１８        遮蔽層
１８ａ      遮蔽層  
１８ｂ      遮蔽層
１９        ガード層
１９ａ      ガード層
１９ｂ      ガード層
２０        第一絶縁層
２０ｂ      第一絶縁層
２１        第一電子回路
２１ａ      第一電子回路
２１ｂ      第一電子回路
２２        第二電子回路
２２ａ      第二電子回路
２２ｂ      第二電子回路
４１        電極
４２        電極
４３        電極
４４        電極
５１        ガラス基板
５２        第一電子回路
５３        第二電子回路
５４        透明絶縁層
５５        透明ガード塗布層
１５０      ディスプレイエリア
１５０ａ    ディスプレイエリア
１５０ｂ    ディスプレイエリア
２０２      第二絶縁層
２０３      第三絶縁層
２０４      第四絶縁層
２０５      第五絶縁層
２０６      第六絶縁層
２０７      第七絶縁層
【図１】
0003145536.tif 000003
【図２】
0003145536.tif 000004
【図３】
0003145536.tif 000005
【図４】
0003145536.tif 000006
【図５】
0003145536.tif 000007
【図６】
0003145536.tif 000008
【図７】
0003145536.tif 000009
【図８】
0003145536.tif 000010
【図９】
0003145536.tif 000011
【図１０】
0003145536.tif 000012
【図１１】
0003145536.tif 000013
【図１２】
0003145536.tif 000014
【図１３】
0003145536.tif 000015
【図１４】
0003145536.tif 000016
【図１５】
0003145536.tif 000017
【図１６】
0003145536.tif 000018
【図１７】
0003145536.tif 000019
【図１８】
0003145536.tif 000020
【図１９】
0003145536.tif 000021